(57)【特許請求の範囲】
【請求項１】
ピン碍子の支持箇所で切断した電線の電線引留具であり、
一次側の電線に連結される第一の連結部と、
二次側の電線に連結される第二の連結部と、
第一の連結部と第二の連結部とを連結する連結線であって、ピン碍子に支持可能な連結線と、
第一の連結部と連結線とを接続する第一の接続部材と、
第二の連結部と連結線とを接続する第二の接続部材とを備えたことを特徴とする電線引留具。
【請求項２】
前記第一の接続部材及び前記第二の接続部材のうちの少なくともいずれか一方の接続部材は、一次側の電線及び二次側の電線に直接的又は間接的に接続され、且つ一次側の電線と二次側の電線とを互いに引き寄せるための張線器を接続可能に構成されることを特徴とする請求項１に記載の電線引留具。
【請求項３】
第一の連結部及び第二の連結部のそれぞれは、電線に対して該電線の軸方向に沿って巻き付け可能な複数の螺旋状体を備え、複数ある螺旋状体のうちの少なくともいずれか一つは、連結線の延びる方向に対して交差する方向に変位可能であることを特徴とする請求項１又は２に記載の電線引留具。
【発明の詳細な説明】
【技術分野】
【０００１】
本発明は、落雷等の外的要因によって切断された一次側及び二次側の電線（高圧線）を接続した状態でピン碍子に支持させるための電線引留具に関する。
【背景技術】
【０００２】
一般的に、複数の電線は、その電線の通り箇所にある電柱の腕金に固定された複数のピン碍子によってそれぞれ支持されている（特許文献１参照）。
【０００３】
ところで、通り箇所における電線が何らかの外的要因（例えば、落雷）によって切断（溶断）されることがある。この場合、停電が余儀なくされるため、早期の復旧が要求される。
【０００４】
この復旧に係る作業では、切断された一次側の電線及び二次側の電線を互いに引き寄せた上で、一次側の電線及び二次側の電線を電気的に接続してピン碍子に支持させている。
【０００５】
この作業において、一般的に、一次側の電線及び二次側の電線を引留クランプで引き留めて接続する方法や、一次側の電線及び二次側の電線を足し線で繋いで接続する方法が採用される。
【０００６】
引留クランプを用いる方法は、図５に示す如く、切断した一次側の電線Ｃ１及び二次側の電線Ｃ２のそれぞれを引留めクランプ（図示せず）に接続する工程と、引留クランプに複数の耐張碍子６を直列して連結する工程と、耐張碍子６に取り付けられたストラップ７を腕金Ａに取り付ける工程と、引留クランプをカバー８で覆う工程と、一次側の電線Ｃ１の端部と足し線１０の一端部を一つの圧縮スリーブＳで電気的に接続する工程と、二次側の電線Ｃ２の端部と足し線１０の他端部をもう一つの圧縮スリーブＳで電気的に接続する工程と、バインド線（図示せず）によって、ピン碍子Ｉに足し線１０を支持させる工程と、を備える。
【０００７】
これに対し、足し線を用いる方法は、図６に示す如く、一次側の電線Ｃ１の端部と足し線１０の一端部を一つの圧縮スリーブＳで電気的に接続する工程と、二次側の電線Ｃ２の端部と足し線１０の他端部をもう一つの圧縮スリーブＳで電気的に接続する工程と、バインド線（図示せず）によって、ピン碍子Ｉに足し線１０を支持させる工程と、を備える。
【先行技術文献】
【特許文献】
【０００８】
【特許文献１】特開２００８−２３６９６３号公報
【発明の概要】
【発明が解決しようとする課題】
【０００９】
ところで、引留クランプを用いる方法では、上述の如く、引留クランプの他に、耐張碍子６や、ストラップ７、カバー８、足し線１０、圧縮スリーブＳ等の多くの部品が必要になる。これに加えて、足し線１０を用いているため、足し線１０の両端部、及び一次側の電線Ｃ１の端部及び二次側の電線Ｃ２の端部のそれぞれに対する剥離作業や、足し線１０の一端部と一次側の電線Ｃ１の端部、及び足し線１０の他端部と二次側の電線Ｃ２の端部の二カ所における圧縮スリーブＳによる圧縮作業が必要になる。その結果、引留クランプを用いる方法では、複数の部品を取り扱う機会（工数）が多くなり、切断された一次側の電線Ｃ１と二次側の電線Ｃ２とを足し線１０で接続するための作業工数も多くなり、作業効率が悪いといった問題がある。
【００１０】
これに対し、足し線１０のみを用いる方法では、取り扱う部品点数が引留クランプを用いる方法よりも少なくなるものの、切断された一次側の電線Ｃ１と二次側の電線Ｃ２とを接続するための作業工数が多く、作業効率が悪いといった問題がある。
【００１１】
そこで、本発明は、切断された一次側の電線と二次側の電線とを接続してピン碍子に支持させるまでの復旧作業の作業性を向上させることのできる電線引留具を提供することを目的とする。
【課題を解決するための手段】
【００１２】
本発明に係る電線引留具は、ピン碍子の支持箇所で切断した電線の電線引留具であり、一次側の電線に連結される第一の連結部と、二次側の電線に連結される第二の連結部と、第一の連結部と第二の連結部とを連結する連結線であって、ピン碍子に支持可能な連結線と、第一の連結部と連結線とを接続する第一の接続部材と、第二の連結部と連結線とを接続する第二の接続部材とを備えたことを特徴とする。
【００１３】
かかる構成によれば、一次側の電線が第一の連結部に連結されるとともに、二次側の電線が第二の連結部に連結される。これにより、切断された一次側の電線と二次側の電線とは、電線引留具（第一の連結部及び第二の連結部を連結する連結線）によって引き寄せられ、機械的に連結される。このように、一次側の電線及び二次側の電線が機械的に連結されることで、一次側の電線における第一の連結部よりも一次側にある部分、第一の連結部、連結線、第二の連結部、及び二次側の電線における第二の連結部よりも二次側にある部分が略一列に並んだ状態になる。そして、この状態で、一次側の電線の端部と二次側の電線の端部とが圧縮スリープを介して電気的に接続され、一次側の電線と二次側の電線と機械的に連結した連結線がピン碍子に支持される。このように、本発明に係る電線引留具は、他の部品を用いることなく、一次側の電線及び二次側の電線を機械的に連結してピン碍子に支持させることができ、また、一次側の電線及び二次側の電線を一箇所（一つの圧縮スリーブ）で電気的に接続することできる。従って、本発明は、切断された一次側の電線及び二次側の電線を接続してピン碍子に支持させるまでの復旧作業の作業性を向上できる。
【００１４】
本発明に係る電線引留具の一態様として、前記第一の接続部材及び前記第二の接続部材のうちの少なくともいずれか一方の接続部材は、一次側の電線及び二次側の電線に直接的又は間接的に接続され、且つ一次側の電線と二次側の電線とを互いに引き寄せるための張線器を接続可能に構成されることが好ましい。
【００１５】
かかる構成によれば、第一の連結部又は第二の連結部の何れか一方に電線を連結した上で、張線器を前記他方の接続部材に接続するとともに、第一の連結部又は第二の連結部の何れか他方に連結される電線であって、第一の連結部又は第二の連結部の何れか他方に未連結の電線を張線器に接続し、この状態で張線器を作動させることで、一次側の電線と二次側の電線とが引き寄せられる。
【００１６】
従って、第一の連結部又は第二の連結部の何れか他方の連結部に電線を連結するときに、その作業部位に電線の張力を作用することがなく、第一の連結部又は第二の連結部の何れか他方に対する電線の連結作業を円滑に行うことができる。
【００１７】
また、上述の如く、張線器によって一次側の電線と二次側の電線とが引き寄せられることで、一次側の電線と二次側の電線とを圧縮スリーブで接続するときにも、その作業部位に電線の張力が作用することなく、一次側の電線と二次側の電線との接続作業を円滑に行うことができる。その上、一次側の電線と二次側の電線を接続した後においては、一次側の電線及び二次側の電線の弛度を最適な状態にすることができる。
【００１８】
本発明に係る電線引留具の他態様として、第一の連結部及び第二の連結部のそれぞれは、電線に対して該電線の軸方向に沿って巻き付け可能な複数の螺旋状体を備え、複数ある螺旋状体のうちの少なくともいずれか一つは、連結線の延びる方向に対して交差する方向に変位可能であることが好ましい。
【００１９】
かかる構成によれば、複数ある螺旋状体のうちの少なくともいずれか一つは、連結線の延びる方向に対して交差する方向に変位可能であるため、複数の螺旋状体のそれぞれを電線に対して順々に巻き付けていくに際し、巻き付けの作業の対象となる螺旋状体以外の螺旋状体を作業領域から避けた位置に退避させておくことができる。従って、複数の螺旋状体のそれぞれを電線に対して順々に巻き付けていくに際し、巻き付けの作業の対象となる螺旋状体を電線に巻き付けるときに、他の螺旋状態が邪魔にならず、第一の連結部及び第二の連結部に対する電線の連結作業を円滑に行うことができる。
【００２０】
また、複数の螺旋状体のうちの少なくとも何れか一つが連結線の延びる方向に対して交差する方向に変位可能になるため、それぞれの螺旋状体の巻き付け位置を電線の軸線方向でずらすことができる。したがって、複数の螺旋状体のそれぞれが単一の電線を確実に抱え込む（締め付けつつ包囲する）ことになり、第一の連結部に対する一次側の電線の連結、及び第二の連結部に対する二次側の電線の連結が確実になる。
【発明の効果】
【００２１】
以上のように、本発明は、切断された一次側の電線と二次側の電線とを接続してピン碍子に支持させるまでの復旧作業の作業性を向上させることができる、といった優れた効果を奏し得る。
【図面の簡単な説明】
【００２２】
【図１】図１は、本発明の一実施形態に係る電線引留具を示す図。
【図２】図２は、同実施形態に係る電線引留具を実装した状態を示す図。
【図３】図３は、同実施形態に係る電線引留具に使用する張線器の構成を示す図。
【図４】図４は、本発明の他の実施形態に係る電線引留具を実装した状態を示す図。
【図５】図５は、一次側の電線及び二次側の電線を引留クランプを用いて接続する従来の方法の説明図。
【図６】図６は、一次側の電線及び二次側の電線を足し線を用いて接続する他の従来の方法の説明図。
【発明を実施するための形態】
【００２３】
本発明の一実施形態に係る電線引留具について図面を参照しながら説明する。なお、本実施形態に係る電線引留具にあっては、電柱の腕金に固定された複数のピン碍子によってそれぞれ支持された電線が何らかの外的要因（例えば、落雷）によって切断（溶断）され、その切断された一次側の電線と二次側の電線とを電気的に接続してピン碍子に支持させるためのものであることを前提としている。
【００２４】
図１及び図２に示す如く、本実施形態に係る電線引留具１は、一次側の電線Ｃ１に連結される第一の連結部２０と、二次側の電線Ｃ２に連結される第二の連結部２１と、第一の連結部２０と第二の連結部２１とを連結する連結線２であって、ピン碍子Ｉに支持可能な連結線２と、該連結線２の両端部にそれぞれ配置された第一接続部材３０及び第二の接続部材３１とを備える。なお、図２の符号Ａは、ピン碍子Ｉが取り付けられた腕金である。
【００２５】
第一の連結部２０は、一次側の電線Ｃ１に対して該一次側の電線Ｃ１の軸方向に沿って巻き付け可能な複数の螺旋状体２００，２０１を備える。
【００２６】
一つの螺旋状体２００は、後述する第一の接続部材３０の第一接続部３０ａの接続部３００ａに接続されている。
【００２７】
残りの螺旋状体２０１は、該螺旋状体２０１の端部に、該端部に対して直交する方向にピンＰが取り付けられ、該ピンＰが第一の接続部材３０の第一接続部３０ａの溝３０１０ａに遊挿されて、残りの螺旋状体２０１が連結線２の延びる方向に対して交差する方向に変位可能である。
【００２８】
第二の連結部２１は、第一の連結部２０に対して線対称に配置されている。また、第二の連結部２１は、二次側の電線Ｃ２に対して該二次側の電線Ｃ２の軸方向に沿って巻き付け可能な複数の螺旋状体２１０，２１１を備える。
【００２９】
一つの螺旋状体２１０は、後述する第二の接続部材３１の第一接続部３１ａの接続部３１０ａに接続されている。
【００３０】
残りの螺旋状体２１１は、該螺旋状体２１１の端部に、該端部に対して直交する方向にピンＰが取り付けられ、該ピンＰが第二の接続部材３１の第一接続部３１ａの溝３１１０ａに遊挿されて、残りの螺旋状体２１１が連結線２の延びる方向に対して交差する方向に変位可能である。
【００３１】
このため、複数の螺旋状体２００，２０１、２１０，２１１のそれぞれを電線Ｃ１，Ｃ２に対して順々に巻き付けていくに際し、巻き付けの作業の対象となる螺旋状体以外の螺旋状体を作業領域から避けた位置に退避させておくことができる。従って、複数の螺旋状体２００，２０１、２１０，２１１のそれぞれを電線Ｃ１，Ｃ２に対して順々に巻き付けていくに際し、巻き付けの作業の対象となる螺旋状体２００，２０１、２１０，２１１を電線Ｃ１，Ｃ２に巻き付けるときに、他の螺旋状体が邪魔にならず、第一の連結部２０及び第二の連結部２１に対する電線Ｃ１，Ｃ２の連結作業を円滑に行うことができる。また、複数の螺旋状体２００，２０１、２１０，２１１のうちの少なくとも何れか一つが連結線２の延びる方向に対して交差する方向に変位可能になるため、それぞれの螺旋状体の巻き付け位置を電線Ｃ１，Ｃ２の軸線方向でずらすことができる。したがって、複数の螺旋状体２００，２０１、２１０，２１１のそれぞれが単一の電線を確実に抱え込む（締め付けつつ包囲する）ことになり、第一の連結部２０に対する一次側の電線Ｃ１の連結、及び第二の連結部２１に対する二次側の電線Ｃ２の連結が確実になる。
【００３２】
連結線２は、ピン碍子Ｉの近傍において、一次側の電線Ｃ１及び二次側の電線Ｃ２の圧縮作業が行える長さと、ピン碍子Ｉの溝に入る外径とを有している。
【００３３】
第一の接続部材３０は、第一の連結部２０が接続される第一接続部３０ａと、一次側の電線Ｃ１及び二次側の電線Ｃ２に直接的又は間接的に接続される張線器５であって、一次側の電線Ｃ１と二次側の電線Ｃ２とを互いに引き寄せるための張線器５が接続される第二接続部３０ｂと、連結線２の一端部が接続される第三接続部３０ｃとを備える。そして、第一接続部３０ａ及び第三接続部３０ｃは、互いに異なる方向に開口している。また、第二接続部３０ｂは、第一接続部３０ａの上方に連結線２の軸方向に平行して形成された溝である。
【００３４】
第二の接続部材３１は、第二の連結部２１が接続される第一接続部３１ａと、連結線２の他端部が接続される第三接続部３１ｃとを備える。そして、第一接続部３１ａ及び第三接続部３１ｃは、互いに異なる方向に開口している。
【００３５】
そして、第一接続部材３０の第一接続部３０ａは、一方の螺旋状体２００が接続される接続部３００ａと、連結線２の延びる方向に対して交差する方向に延出して形成された突片３０１ａとを有している。この突片３０１ａには、突片３０１ａの延びる方向に長溝３０１０ａが形成され、該長溝３０１０ａに他方の螺旋状体２０１のピンＰが遊挿され、他方の螺旋状体２０１が連結線２の延びる方向に対して交差する方向に変位可能になっている。
【００３６】
また、第二接続部材３１の第一接続部３１ａは、一方の螺旋状体２１０が接続される接続部３１０ａと、連結線２の延びる方向に対して交差する方向に延出して形成された突片３１１ａとを有している。この突片３１１ａには、突片３１１ａの延びる方向に長溝３１１０ａが形成され、該長溝３１１０ａに他方の螺旋状体２１１のピンＰが遊挿され、他方の螺旋状体２１１が連結線２の延びる方向に対して交差する方向に変可能になっている。
【００３７】
ここで、電線Ｃ１，Ｃ２を引き寄せる際に使用する張線器５の構成について簡単に説明する。各張線器５は、図３に示す如く、第一接続部材３０の第二接続部３０ｂに接続されるフック５１が端部に設けられたワイヤロープ５０と、一次側電線Ｃ１又は二次側の電線Ｃ２が接続されるチャック５３が設けられたワイヤロープ５２と、該ワイヤロープ５２を巻き取って、ピン碍子Ｉの両側に、一次側電線Ｃ１及び二次側の電線Ｃ２の弛度を調整するためのハンドル５４とを備える。
【００３８】
つぎに本実施形態に係る電線引留具１の使用態様について説明する。まず、地上において、スリーブカバー（図示せず）を一次側電線Ｃ１の端部、又は二次側の電線Ｃ２の端部のいずれかに挿通しておく。つぎに、二次側の電線Ｃ２の端部と圧縮スリーブＳとを接続する。
【００３９】
つぎに、地上において、二次側の電線Ｃ２に、第二の連結部２１の一方の螺旋状体２１０が二次側の電線Ｃ２の軸方向に所定の間隔をおいて巻き付けられる。そして、前記間隔に、他方の螺旋状体２１１が巻き付けられるように、他方の螺旋状体２１１が第一の接続部材３１の第一接続部３１ａの長溝３１１０ａに沿って連結線２の延びる方向に対して交差する方向に変位させられる。そして、前記間隔に、他方の螺旋状体２１１が巻き付けられる。すなわち、二次側の電線Ｃ２に対して二つの螺旋状体２１０，２１１が二次側の電線Ｃ２の軸方向に密接して巻き付けられる。したがって、二次側の電線Ｃ２と連結線２とが第二の接続部材３１を介して堅固に連結される。この場合、二つの螺旋状体２１０，２１１の巻き付けによって、第二の接続部材３１の突片３１１ａは隠れてしまう。
【００４０】
そして、第二の連結部２１に二次側の電線Ｃ２を連結した上で、張線器５を第一の接続部材３０に接続するとともに、第一の連結部２０に連結される一次側の電線Ｃ１であって、第一の連結部２０に未連結の一次側の電線Ｃ１を張線器５に接続し、この状態で張線器５を作動させることで、一次側の電線Ｃ１と二次側の電線Ｃ２とが引き寄せられる。
【００４１】
従って、第一の連結部２０に一次側の電線Ｃ１を連結するときに、その作業部位に電線の張力を作用することがなく、第一の連結部２０に対する一次側の電線Ｃ１の連結作業を円滑に行うことができる。
【００４２】
すなわち、一次側の電線Ｃ１に、第一の連結部２０の一方の螺旋状体２００が一次側の電線Ｃ１の軸方向に所定の間隔をおいて巻き付けられる。そして、前記間隔に、他方の螺旋状体２０１が巻き付けられるように、他方の螺旋状体２０１が第一の接続部材３０の第一接続部３０ａの長溝３０１０ａに沿って連結線２の延びる方向に対して交差する方向に変位させられる。そして、前記間隔に、他方の螺旋状体２０１が巻き付けられる。すなわち、一次側の電線Ｃ１に対して二つの螺旋状体２００，２０１が一次側の電線Ｃ１の軸方向に密接して巻き付けられる。したがって、一次側の電線Ｃ１と連結線２とが第一の接続部材３０を介して堅固に連結される。この場合、二つの螺旋状体２００，２０１の巻き付けによって、第一の接続部材３０の突片３０１ａは隠れてしまう。
【００４３】
したがって、複数の螺旋状体２００，２０１、２１０，２１１のそれぞれが単一の電線Ｃ１，Ｃ２を確実に抱え込む（締め付けつつ包囲する）ことになり、第一の連結部２０に対する一次側の電線Ｃ１の連結、及び第二の連結部２１に対する二次側の電線Ｃ２の連結が確実になる。
【００４４】
この際、一次側の電線Ｃ１における第一連結部２０よりも一次側にある部分、第一連結部２０、連結線２、第二連結部２１、及び二次側の電線Ｃ２における第二連結部２１よりも二次側にある部分が略一列に並んだ状態になる。そして、一次側の電線Ｃ１、第一の連結部２０、連結線２、第二の連結部２１、二次側の電線Ｃ２が略一列に並んだ状態で、柱上に移動される。
【００４５】
柱上に移動されても、張線器５によって一次側の電線Ｃ１と二次側の電線Ｃ２とが引き寄せられることで、残りの電線の端部と圧縮スリーブＳとが圧縮接続されるときにも、その作業部位に一次側の電線Ｃ１と二次側の電線Ｃ２の張力が作用することなく、前記圧縮作業を円滑に行うことができる。そして、一次側の電線Ｃ１と二次側の電線Ｃ２を接続した後においては、一次側の電線及び二次側の電線の弛度を最適な状態にすることができる。
【００４６】
この状態で、バインド線Ｂによって、連結線２がピン碍子Ｉに支持される（図２参照）。最後に、張線器５が撤去される。
【００４７】
このように、本実施形態に係る電線引留具１によれば、切断された一次側の電線Ｃ１と二次側の電線Ｃ２とを接続してピン碍子Ｉに支持させるまでの復旧作業の作業性を向上させることができる。
【００４８】
なお、本発明は、上記実施形態に限定されるものではなく、本発明の要旨を逸脱しない範囲で種々変更を加え得ることは勿論のことである。
【００４９】
例えば、前記実施形態においては、第一の接続部材３０を連結線２の一端部に配置したものを例にとって説明したが、第一の接続部材３０を連結線２の両端部に配置するようにしてもよい。
【００５０】
また、前記実施形態の場合、複数の螺旋状体２００，２０１、２１０，２１１を一次側の電線Ｃ１及び二次側の電線Ｃ２のそれぞれに巻き付けるようにしたが、図４に示す如く、一次側の電線Ｃ１の端部と連結線２の一端部、及び二次側の電線Ｃ２の端部と連結線２の他端部をそれぞれ重ね合わせた状態にして、第一及び第二の接続部材３０，３１の第三接続部３０ｃ，３１ｃを開放状態にしておき、連結線２と、一次側の電線Ｃ１及び二次側の電線Ｃ２とのそれぞれに、第一の連結部２０の複数の螺旋状体２００，２０１、第二の連結部２１の複数の螺旋状体２１０，２１１を巻き付けるようにしてもよい。
【００５１】
また、前記実施形態の場合、一次側の電線Ｃ１及び二次側の電線Ｃ２のそれぞれに各螺旋状体２００，２０１、２１０，２１１を単に巻き付けるようにしたが、各螺旋状体２００，２０１、２１０，２１１に滑り止め部材を塗布又は設けることで、一次側の電線Ｃ１及び二次側の電線Ｃ２をより堅固に引き留めることができる。
【００５２】
また、前記実施形態の場合、一次側の電線Ｃ１及び二次側の電線Ｃ２のそれぞれに各螺旋状体２００，２０１、２１０，２１１を巻き付けて連結するようにしたが、連結線２の両端部と、一次側の電線Ｃ１及び二次側の電線Ｃ２のそれぞれの端部をクランプによって連結するようにしてもよい。
【００５３】
また、前記実施形態の場合、第二の連結部２１に一次側の電線Ｃ２を連結した上で、張線器５を第一の接続部材３０に接続するとともに、第一の連結部２０に連結される一次側の電線Ｃ１であって、第一の連結部２０に未連結の一次側の電線Ｃ１を接続するようにしたが、第一の連結部２０に一次側の電線Ｃ１を連結した上で、張線器５を第二の接続部材３１に接続するとともに、第二の連結部２１に連結される二次側の電線Ｃ２であって、第二の連結部２１に未連結の二次側の電線Ｃ２を張線器５に接続するようにしてもよい。また、張線器５を両方の接続部材３０，３１に接続するとともに、第一の連結部２０及び第二の連結部２１に連結される一次側の電線Ｃ１及び二次側の電線Ｃ２であって、第一の連結部２０及び第二の連結部２１に未連結の一次側の電線Ｃ１及び二次側の電線Ｃ２に接続するようにしてもよい。
【００５４】
また、前記実施形態の場合、連結線２の素材として特に限定していないが、棒であってもよく、電線（高圧線）と同種の電線であってもよい。但し、連結線２の外径は、ピン碍子Ｉの溝に入ることが条件とされる。
【符号の説明】
【００５５】
１…電線引留具、２…連結線、２０…第一の連結部、２１…第二の連結部、２００，２０１…第一の螺旋状体、２１０，２１１…第二の螺旋状体、３０…第一の接続部材、３１…第二の接続部材、５…張線器、Ｃ１…一次側の電線、Ｃ２…二次側の電線、Ｉ…ピン碍子、Ｓ…圧縮スリーブ
【図１】
0005964352.tif 000002
【図２】
0005964352.tif 000003
【図３】
0005964352.tif 000004
【図４】
0005964352.tif 000005
【図５】
0005964352.tif 000006
【図６】
0005964352.tif 000007